(57)【要約】【課題】複数のチャンネルについての受信可否状態を簡易に認識可能とすることを目的とする。【解決手段】デジタル放送受信装置１０は、複数のチャンネルのデジタル放送信号を受信するアンテナ１０４及びチューナ１０８と、受信されたデジタル放送信号に対応するチャンネルである検出チャンネル毎に受信可否判定のための判定値を算出する判定値算出部１２１と、算出された判定値に基づいて、検出チャンネル毎の受信可否を判定する受信可否判定部１２２と、検出チャンネル毎の受信可否の判定結果を一覧にして表示させる表示制御部１２３とを備える。【選択図】図１
2011082685.tif 000002
【特許請求の範囲】
【請求項１】
複数のチャンネルのデジタル放送信号を受信する受信部と、
前記受信部により受信されたデジタル放送信号に対応するチャンネルである検出チャンネル毎に受信可否判定のための判定値を算出する算出部と、
前記算出部により算出された前記判定値に基づいて、前記検出チャンネル毎の受信可否を判定する判定部と、
前記判定部による前記検出チャンネル毎の受信可否の判定結果を一覧にして表示させる表示制御部と
を備えるデジタル放送受信装置。
【請求項２】
前記表示制御部は、前記判定部による前記検出チャンネル毎の受信可否の判定結果に対応する複数段階の指標を表示させる請求項１に記載のデジタル放送受信装置。
【請求項３】
前記算出部は、前記検出チャンネル毎に、複数回の受信に対応する複数の判定値の平均値を算出し、
前記判定部は、前記算出部により算出された前記判定値の平均値に基づいて、前記検出チャンネル毎の受信可否を判定する請求項１又は２に記載のデジタル放送受信装置。
【請求項４】
前記表示制御部は、前記判定部による前記検出チャンネル毎の受信可否の判定結果に基づいて、受信状態を向上させるための対処方法を表示させる請求項１乃至３の何れかに記載のデジタル放送受信装置。
【請求項５】
前記デジタル放送信号を減衰させる減衰器を備え、
前記判定部による前記検出チャンネル毎の受信可否の判定結果に基づいて、前記減衰器を制御する減衰制御部を備える請求項１乃至４の何れかに記載のデジタル放送受信装置。
【請求項６】
デジタル放送受信装置が、複数のチャンネルのデジタル放送信号を受信するステップと、
デジタル放送受信装置が、受信された前記デジタル放送信号に対応するチャンネルである検出チャンネル毎に受信可否判定のための判定値を算出するステップと、
デジタル放送受信装置が、算出された前記判定値に基づいて、前記検出チャンネル毎の受信可否を判定するステップと、
デジタル放送受信装置が、前記受信可否の判定結果を一覧にして表示させるステップと
を備えるデジタル放送受信方法。
【発明の詳細な説明】
【技術分野】
【０００１】
本発明は、デジタル放送を受信するデジタル放送受信装置、及び、当該デジタル放送受信装置におけるデジタル放送受信方法に関する。
【背景技術】
【０００２】
近年、デジタル放送の開始に伴い、当該デジタル放送を受信するデジタル放送受信装置が急速に普及している。このようなデジタル放送受信装置では、利用者に対して、放送信号の受信品質を通知する機能を有するものが存在する（例えば、特許文献１参照）。
【先行技術文献】
【特許文献】
【０００３】
【特許文献１】特開２００９−１１８５００号公報
【発明の概要】
【発明が解決しようとする課題】
【０００４】
しかしながら、従来のデジタル放送受信装置では、チャンネル毎に、当該チャンネルの放送信号の受信品質が通知されるのみであるため、設置業者や利用者が、全てのチャンネルの放送信号の受信品質を確認する場合には、チャンネルの放送信号の受信品質の通知が繰り返されることになり、時間を要していた。また、受信品質のみが通知されても、設置業者や利用者は、当該受信品質が受信可能なレベルであるか否かを判断することは困難である。
【０００５】
そこで、本発明は、複数のチャンネルについての受信可否状態を簡易に認識可能としたデジタル放送受信装置及びデジタル放送受信方法を提供することを目的とする。
【課題を解決するための手段】
【０００６】
上述した課題を解決するために、本発明は以下のような特徴を有している。まず、本発明の第１の特徴は、デジタル放送受信装置であって、複数のチャンネルのデジタル放送信号を受信する受信部（アンテナ１０４、チューナ１０８）と、前記受信部により受信されたデジタル放送信号に対応するチャンネルである検出チャンネル毎に、受信可否判定のための判定値を算出する算出部（判定値算出部１２１）と、前記算出部により算出された前記判定値に基づいて、前記検出チャンネル毎の受信可否を判定する判定部（受信可否判定部１２２）と、前記判定部による前記検出チャンネル毎の受信可否の判定結果を一覧にして表示させる表示制御部（表示制御部１２３）とを備えることを要旨とする。
【０００７】
このようなデジタル放送受信装置では、受信されたデジタル放送信号に対応するチャンネルである検出チャンネル毎に、受信可否判定のための判定値が算出され、当該判定値に基づいて、検出チャンネル毎の受信可否を判定されて、当該判定結果が一覧になって表示される。従って、設置業者や利用者は、全ての検出チャンネル毎の受信可否状態を短時間で認識可能となる。また、受信品質ではなく、受信可否の判定結果が表示されるため、設置業者や利用者は、全ての検出チャンネルについての受信可否状態を簡易に認識可能となる。
【０００８】
本発明の第２の特徴は、前記表示制御部は、前記判定部による前記検出チャンネル毎の受信可否の判定結果に対応する複数段階の指標を表示させることを要旨とする。
【０００９】
本発明の第３の特徴は、前記算出部は、前記検出チャンネル毎に、複数回の受信に対応する複数の判定値の平均値を算出し、前記判定部は、前記算出部により算出された前記判定値の平均値に基づいて、前記検出チャンネル毎の受信可否を判定することを要旨とする。
【００１０】
本発明の第４の特徴は、前記表示制御部は、前記判定部による前記検出チャンネル毎の受信可否の判定結果に基づいて、受信状態を向上させるための対処方法を表示させることを要旨とする。
【００１１】
本発明の第５の特徴は、前記デジタル放送信号を減衰させる減衰器を備え、前記判定部による前記検出チャンネル毎の受信可否の判定結果に基づいて、前記減衰器を制御する減衰制御部（制御部１０２）を備えることを要旨とする。
【００１２】
本発明の第６の特徴は、デジタル放送受信装置におけるデジタル放送受信方法であって、デジタル放送受信装置が、複数のチャンネルのデジタル放送信号を受信するステップと、デジタル放送受信装置が、受信された前記デジタル放送信号に対応するチャンネルである検出チャンネル毎に受信可否判定のための判定値を算出するステップと、デジタル放送受信装置が、算出された前記判定値に基づいて、前記検出チャンネル毎の受信可否を判定するステップと、デジタル放送受信装置が、前記受信可否の判定結果を一覧にして表示させるステップとを備えることを要旨とする。
【発明の効果】
【００１３】
本発明によれば、全てのチャンネルについての受信可否状態を簡易に認識可能となる。
【図面の簡単な説明】
【００１４】
【図１】本発明の実施形態に係るデジタル放送受信装置の構成図である。
【図２】本発明の実施形態に係る受信可否判定結果の表示例を示す図である。
【図３】本発明の実施形態に係るデジタル放送受信装置の動作を示すフローチャートである。
【図４】本発明の実施形態に係るＣＮ値及び受信レベルと判定結果との対応関係を示す図である。
【図５】本発明の実施形態に係る対処方法の画面の表示例を示す図である。
【発明を実施するための形態】
【００１５】
次に、図面を参照して、本発明の実施形態を説明する。具体的には、（１）デジタル放送受信装置の構成、（２）デジタル放送受信装置の動作、（３）作用・効果、（４）その他の実施形態について説明する。以下の実施形態における図面の記載において、同一又は類似の部分には同一又は類似の符号を付している。
【００１６】
（１）デジタル放送受信装置の構成
図１は、本発明の実施形態に係るデジタル放送受信装置１０の構成図である。
【００１７】
図１に示すデジタル放送受信装置１０は、ＢＣＡＳ方式によるデジタル放送を受信するものである。ここで、デジタル放送は、地上デジタル放送、ＢＳデジタル放送、ＣＳデジタル放送等、特に限定されない。このデジタル放送受信装置１０は、制御部１０２、アンテナ１０４、チューナ１０８、ＢＣＡＳカード読み取り部１１０、メモリ１１２、ＲＯＭ１１４、入出力部（Ｉ／Ｏ部）１１６、モニタ１１７及びリモコン受信部１１８とを含む。
【００１８】
制御部１０２は、例えばＣＰＵによって構成され、デジタル放送受信装置１０が具備する各種機能を制御する。アンテナ１０４は、デジタル放送信号を受信する。このデジタル放送信号には、暗号化された動画データ、音声データ、チャンネル番号、放送局名、番組表等が含まれている。
【００１９】
チューナ１０８は、デジタル放送信号に含まれる、所定のチャンネルの信号を取り出して、制御部１０２へ出力する。
【００２０】
ＢＣＡＳカード読み取り部１１０は、デジタル放送受信装置１０に挿入されたＢＣＡＳカードに記憶されている暗号鍵を読み出し、制御部１０２へ出力する。制御部１０２は、チューナ１０８からの所定のチャンネルの信号について、ＢＣＡＳカード読み取り部１１０によって読み出された暗号鍵を用いて復号し、動画データ及び音声データを得る。これら動画データ及び音声データは、Ｉ／Ｏ部１１６を介してモニタ１１７へ出力される。モニタ１１７は、入力した動画データに対応する動画を表示するとともに、入力した音声データに対応する音声を、内蔵する図示しないスピーカから出力する。
【００２１】
メモリ１１２は、例えば、ＤＤＲ−ＳＲＡＭであり、デジタル放送受信装置１０が具備する各種機能を実現するために必要な情報を記憶している。ＲＯＭ１１４は、例えば、フラッシュロムであり、地域設定の情報、後述するチャンネルスキャンにより検出されたチャンネルの情報、番組表の情報等を記憶する。
【００２２】
リモコン受信部１１８は、外部のリモートコントローラ２０からの操作信号を受信し、Ｉ／Ｏ部１１６を介して制御部１０２へ出力する。
【００２３】
図１に示すデジタル放送受信装置１０は、全てのチャンネルの受信可否の判定結果を、一覧にして表示する。具体的には、以下の処理が行われる。
【００２４】
まず、リモコン受信部１１８は、設置業者や利用者によるリモートコントローラ２０の操作に応じて送信される、地域設定のための操作信号を受信する。更に、リモコン受信部１１８は、受信した操作信号を、Ｉ／Ｏ部１１６を介して制御部１０２へ出力する。制御部１０２は、入力した操作信号に応じて、地域設定を行い、当該地域設定の情報をＲＯＭ１１４に記憶させる。
【００２５】
その後、チューナ１０８は、チャンネルスキャンを行って各チャンネルのデジタル放送信号の受信を試みる。次に、チューナ１０８は、チャンネルスキャンによって、所定の受信レベル以上のデジタル放送信号のチャンネルが検出される毎に、当該検出されたチャンネル（検出チャンネル）におけるデジタル放送信号の入力レベル（受信レベル）の値を測定する。また、チューナ１０８は、チャンネルスキャンによって、チャンネルが検出される毎に、検出チャンネルにおけるデジタル放送信号のＣＮ（Carrier to Noise）値を測定する。
【００２６】
更に、チューナ１０８は、測定した入力レベル値及びＣＮ値を、対応する検出チャンネルの番号及び放送局名とともに、制御部１０２へ出力する。制御部１０２内の判定値算出部１２１は、入力したＣＮ値に基づいて、受信可否判定のための値である判定値を算出する。ここで、判定値は、ＣＮ値×１００／３５により算出される。判定値が大きいほど、受信状態は良好である。また、判定値は、小数点以下が四捨五入された整数値である。
【００２７】
なお、判定値は、検出チャンネル毎の複数回の受信に対応する複数の判定値の平均値であってもよい。この場合、メモリ１１２に、過去に算出された判定値を記憶させておく。制御部１０２内の判定値算出部１２１は、チューナ１０８からＣＮ値を入力した場合に、当該ＣＮ値に基づいて、所定の検出チャンネルの判定値を算出する。更に、制御部１０２内の判定値算出部１２１は、メモリ１１２に記憶された判定値（過去の判定値）のうち、所定の検出チャンネルに対応するものを読み出して、算出した判定値と過去の判定値の平均値を算出する。
【００２８】
次に、制御部１０２内の判定値算出部１２１は、入力した入力レベル値、ＣＮ値、チャンネル番号及び放送局名と、判定値とを対応付けてメモリ１１２に記憶させる。
【００２９】
チャンネルスキャンの終了後、制御部１０２は、モニタ１１７に所定の画面（リモコン割当画面）を表示させる。その後、制御部１０２は、設置業者や利用者がリモートコントローラ２０を操作して、全てのチャンネルの受信可否の判定結果を一覧表示するための隠しコマンドが入力されたか否かを判定する。ここで、リモコン受信部１１８は、外部のリモートコントローラ２０からの操作信号を受信し、Ｉ／Ｏ部１１６を介して制御部１０２へ出力する。制御部１０２は、この信号が隠しコマンドの信号である場合、隠しコマンドが入力されたと判定する。
【００３０】
隠しコマンドが入力された場合、制御部１０２内の受信可否判定部１２２は、検出チャンネル毎に、当該検出チャンネルに対応する判定値に基づいて、受信可否の判定を行い、当該受信可否の判定結果に対応する４段階の指標を設定する。
【００３１】
具体的には、制御部１０２内の受信可否判定部１２２は、判定値が６６以上であるか否かを判定する。判定値が６６以上である場合、制御部１０２内の受信可否判定部１２２は、受信状況が４段階のうちの最高位であると判定し、指標「◎」を設定する。また、制御部１０２内の受信可否判定部１２２は、判定値が６１以上６５以下であるか否かを判定する。判定値が６１以上６５以下である場合、制御部１０２内の受信可否判定部１２２は、受信状況が４段階のうちの上位から２番目の段階であると判定し、指標「○」を設定する。また、制御部１０２内の受信可否判定部１２２は、判定値が５６以上６０以下であるか否かを判定する。判定値が５６以上６０以下である場合、制御部１０２内の受信可否判定部１２２は、受信状況が４段階のうちの上位から３番目の段階であると判定し、指標「△」を設定する。また、制御部１０２内の受信可否判定部１２２は、判定値が５５以下であるか否かを判定する。判定値が５５以下である場合、制御部１０２内の受信可否判定部１２２は、受信状況が４段階のうちの最低位であると判定し、指標「×」を設定する。
【００３２】
全ての検出チャンネルについて、上述した受信可否の判定結果に対応する指標が設定された後、制御部１０２内の表示制御部１２３は、検出チャンネル毎に、当該検出チャンネルの番号、放送局名、入力レベル値、判定値及び指標を含んだ、受信可否の判定結果の一覧の画面を生成し、当該画面をＩ／Ｏ部１１６を介して、モニタ１１７に表示させる。図２は、本発明の実施形態に係る受信可否判定結果の一覧の表示例を示す図である。
【００３３】
（２）デジタル放送受信装置の動作
図３は、デジタル放送受信装置１０の動作を示すフローチャートである。
【００３４】
ステップＳ１０１において、制御部１０２は、リモコン受信部１１８によって地域設定のための操作信号が受信されると、当該操作信号に応じて、地域設定を行う。
【００３５】
ステップＳ１０２において、チューナ１０８は、チャンネルスキャンを行う。チャンネルスキャンの開始後、制御部１０２は、チューナ１０８によるチャンネルスキャンの状況を監視する。チャンネルスキャンによってチャンネルが検出されると、チューナ１０８は、当該検出されたチャンネル（検出チャンネル）におけるデジタル放送信号の入力レベルの値を測定する。更に、ステップＳ１０４において、チューナ１０８は、検出チャンネルにおけるデジタル放送信号のＣＮ値を測定する。制御部１０２は、当該ＣＮ値に基づいて、判定値を算出する。
【００３６】
ステップＳ１０５において、制御部１０２は、検出チャネルに対応する入力レベル値、ＣＮ値及び判定値を、チャンネル番号及び放送局名と対応付けてメモリ１１２に記憶させる。
【００３７】
ステップＳ１０６において、制御部１０２は、チューナ１０８によるチャンネルスキャンが終了したか否かを判定する。チャンネルスキャンが終了していない場合には、チューナ１０８によるチャンネルスキャン（ステップＳ１０２）以降の動作が繰り返される。
【００３８】
一方、チャンネルスキャンが終了した場合、ステップＳ１０７において、制御部１０２は、モニタ１１７にリモコン割当画面を表示させる。ステップＳ１０８において、制御部１０２は、隠しコマンドが入力されたか否かを判定する。
【００３９】
隠しコマンドが入力された場合、制御部１０２は、ステップＳ１０４において、検出チャネル毎に算出された判定値を１つ選択する。更に、ステップＳ１０９において、制御部１０２は、判定値が６６以上であるか否かを判定する。判定値が６６以上である場合には、ステップＳ１１０において、制御部１０２は、指標「◎」を設定する。
【００４０】
判定値が６６以上でない場合、ステップＳ１１１において、制御部１０２は、判定値が６１以上６５以下であるか否かを判定する。判定値が６１以上６５以下である場合には、ステップＳ１１２において、制御部１０２は、指標「○」を設定する。
【００４１】
判定値が６１以上６５以下でない場合、ステップＳ１１３において、制御部１０２は、判定値が５６以上６０以下であるか否かを判定する。判定値が５６以上６０以下である場合には、ステップＳ１１４において、制御部１０２は、指標「△」を設定する。
【００４２】
判定値が５６以上６０以下でない場合、換言すれば、判定値が５５以下である場合、ステップＳ１１５において、制御部１０２は、指標「×」を設定する。
【００４３】
ステップＳ１１０、ステップＳ１１２、ステップＳ１１４及びステップＳ１１５における指標設定の後、ステップＳ１１６において、制御部１０２は、検出チャンネル毎に算出された全ての判定値について、指標設定の処理が終了したか否かを判定する。指標設定の処理が終了していない判定値が存在する場合には、制御部１０２は、その判定値を選択し、ステップＳ１０９における判定値が６６以上であるか否かの判定以降の動作を繰り返す。
【００４４】
一方、検出チャンネル毎に算出された全ての判定値について、指標設定の処理が終了した場合には、ステップＳ１１７において、制御部１０２は、検出チャンネル毎に、当該検出チャンネルの番号、放送局名、入力レベル値、判定値及び指標を含んだ、受信可否の判定結果の一覧の画面を生成し、モニタ１１７に表示させる。
【００４５】
（３）作用・効果
本実施形態では、デジタル放送受信装置１０は、チャンネルスキャンによって検出されたチャンネル毎に、受信可否判定のための判定値を算出し、当該判定値に基づいて、検出チャンネル毎の受信可否を判定する。更に、デジタル放送受信装置１０は、その判定結果を一覧にして表示する。
【００４６】
受信可否の判定結果が一覧になって表示されるため、設置業者や利用者は、全ての検出チャンネルについての受信可否状態を短時間で認識可能となる。また、受信品質ではなく、受信可否の判定結果が表示されるため、設置業者や利用者は、全ての検出チャンネルについての受信可否状態を簡易に認識可能となる。
【００４７】
また、デジタル放送受信装置１０では、受信可否の判定結果が４段階の指標「◎」、「○」、「△」、「×」として表示されるため、設置業者や利用者は容易に判定結果を把握することが可能となる。
【００４８】
（４）その他の実施形態
本発明は実施形態によって記載したが、この開示の一部をなす論述及び図面はこの発明を限定するものであると理解すべきではない。この開示から当業者には様々な代替実施形態、実施例及び運用技術が明らかとなる。
【００４９】
上述した実施形態では、ＣＮ値に基づいて、受信可否判定のための判定値が算出され、当該判定値に基づく受信可否判定が行われたが、ＣＮ値に基づく判定値（以下、「第１判定値」と称する）とともに、入力レベルを判定値（以下、「第２判定値」と称する）に基づいて受信可否判定が行われるようにしてもよい。
【００５０】
この場合、制御部１０２内の受信可否判定部１２２は、第１判定値及び第２判定値を用いて、受信可否判定を行う。具体的には、メモリ１１２には、図４に示すような第１判定値及び第２判定値と３段階（Ａ、Ｂ、Ｃ）の判定結果との対応関係が記憶されている。
【００５１】
制御部１０２内の受信可否判定部１２２は、検出チャンネル毎に、当該検出チャンネルに対応する第１判定値及び入力レベル値と、図４に示す対応関係とに基づいて、受信可否の判定を行う。
【００５２】
制御部１０２内の表示制御部１２３は、検出チャンネル毎に、当該検出チャンネルの番号、放送局名、入力レベル値、判定値及び判定結果を含んだ、受信可否の判定結果の一覧の画面を生成し、モニタ１１７に表示させる。
【００５３】
また、制御部１０２内の表示制御部１２３は、全ての検出チャンネルにおける判定結果Ａ、Ｂ、Ｃの出現回数をカウントする。更に、制御部１０２内の表示制御部１２３は、判定結果Ａ、Ｂ、Ｃの出現回数に基づいて、判定結果Ａの比率、判定結果Ｂの比率及び判定結果Ｃの比率を算出する。更に、制御部１０２内の表示制御部１２３は、算出した比率に応じた、受信状態を改善させるための対処方法の画面を生成し、モニタ１１７に表示させる。
【００５４】
図５は、対処方法の画面の表示例を示す図である。図４の対応関係に基づく判定結果Ａ（レベル良好）の比率が７０％以上である場合には、図５（ａ）に示すように、「受信レベルに問題ありません。」との表示がなされる。また、判定結果Ｂ（強電界）の比率が７０％以上である場合には、図５（ｂ）に示すように、「強電界です。アッテネータを使用してください。」との表示がなされる。また、判定結果Ｃ（弱電界）の比率が９０％以上である場合には、図５（ｃ）に示すように、「受信できていません。アンテナの接続を確認してください。」との表示がなされる。また、判定結果Ｃ（弱電界）の比率が７０％以上９０％未満である場合には、図５（ｄ）に示すように、「受信レベルが低いです。アンテナの向きを確認してください。」との表示がなされる。また、判定結果Ｃ（弱電界）の比率が５０％以上７０％未満である場合には、図５（ｅ）に示すように、「受信レベルが若干低いです。ブースタを使用してください。」との表示がなされる。また、判定結果の比率が上記の何れにも該当しない場合には、図５（ｆ）に示すように、「接続環境を確認してください。」との表示がなされる。
【００５５】
このように、対処方法が表示されることにより、設置業者や利用者は、受信状態を改善させるために何をなすべきかを容易に把握することができる。
【００５６】
また、制御部１０２内の受信可否判定部１２２は、全ての検出チャンネルにおける第１判定値及び第２判定値の平均値を算出し、これら第１判定値の平均値と第２判定値の平均値と、図４に示す対応関係とに基づいて、受信可否判定を行ってもよい。この場合、制御部１０２内の受信可否判定部１２２は、１の判定結果を決定する。そして、制御部１０２内の表示制御部１２３は、１の判定結果をモニタ１１７に表示させる。この際、制御部１０２内の表示制御部１２３は、判定結果とともに、全ての検出チャンネルにおける第１判定値の内の最大値及び最小値と、全ての検出チャンネルにおける第２判定値の最大値及び最小値とを表示させてもよい。これにより、設置業者や利用者は、検出チャンネル間の第１判定値及び第２判定値のばらつきを認識することが可能となる。
【００５７】
更には、制御部１０２内の表示制御部１２３は、１の判定結果に対応する、受信状態を改善させるための対処方法の画面を生成し、モニタ１１７に表示させてもよい。例えば、判定結果がＡの場合には、図５（ａ）の画面が表示され、判定結果がＢの場合には、図５（ｂ）の画面が表示され、判定結果がＣの場合には、図５（ｃ）の画面が表示される。
【００５８】
また、アンテナ１０４とチューナ１０８との間に減衰器を備えてもよい。この場合、制御部１０２は、判定結果がＢ（強電界）である場合には、減衰器に対して、デジタル放送信号の減衰度を増加させるように指示する。減衰器は、この指示に応じて減衰度を増加させ、アンテナ１０４によって受信されたデジタル放送信号を減衰させる。
【００５９】
このように、強電界の状態にある場合には、減衰器による減衰度を増加させることにより、強電界の状態を解消することが可能となる。
【００６０】
また、上述した実施形態では、受信可否の判定結果が３段階や４段階の指標で表示されるようにしたが、３段階や４段階以外の複数段階の指標で表示されるようにしてもよい。更には、上述した実施形態では、受信可否の判定結果の指標は、「◎」、「○」、「△」、「×」や「Ａ」、「Ｂ」、「Ｃ」で表示されるようにしたが、表示態様はこれに限定されず、区別して視認可能であればよい。例えば、異なる色で表示する等によって、受信可否の判定結果が複数段階で表示されるようにしてもよい。
【００６１】
更には、判定値は、ＣＮ値や入力レベル値に限定されず、ＢＥＲ（ビットエラーレート）等を判定値として利用し、受信可否判定や判定結果の一覧表示が行われるようにしてもよい。
【００６２】
このように本発明は、ここでは記載していない様々な実施形態等を包含するということを理解すべきである。したがって、本発明はこの開示から妥当な特許請求の範囲の発明特定事項によってのみ限定されるものである。
【産業上の利用可能性】
【００６３】
本発明のデジタル放送受信装置及びデジタル放送受信方法は、複数のチャンネルについての受信可否状態を簡易に認識可能であり、放送受信装置及びデジタル放送受信方法として有用である。
【符号の説明】
【００６４】
１０…デジタル放送受信装置、２０…リモートコントローラ、１０２…制御部、１０４…アンテナ、１０８…チューナ、１１０…ＢＣＡＳカード読み取り部、１１２…メモリ、１１４…ＲＯＭ、１１６…Ｉ／Ｏ部、１１７…モニタ、１１８…リモコン受信部、１２１…判定値算出部、１２２…受信可否判定部、１２３…表示制御部
【図１】
2011082685.tif 000003
【図２】
2011082685.tif 000004
【図３】
2011082685.tif 000005
【図４】
2011082685.tif 000006
【図５】
2011082685.tif 000007